(57)【要約】    【課題】分割ベルト同士の接触を防止するスペーサーリングを容易に配設することができる歯付プーリを提供する。    【解決手段】外周面にプーリ歯７を形成したプーリ本体３と、プーリ本体３の外周側に配設するスペーサーリング４とを備える。スペーサーリング４をプーリ本体３にベルト幅方向に移動自在に外嵌する。プーリ本体３に、ベルト幅方向に複数の分割ベルト２ａ、２ｂに分割された歯付ベルト２を掛巻する。ベルト幅方向に隣接する分割ベルト２ａ、２ｂ間にスペーサーリング４を介在させる。プーリ本体３にスペーサーリング４を固定することなく装着する。【選択図】  図１
2007127166.tif 000002
【特許請求の範囲】
【請求項１】
ベルト幅方向に複数の分割された歯付ベルトを掛巻して使用する歯付プーリであって、外周面にプーリ歯が形成されたプーリ本体と、該プーリ本体の外周側に配設されると共に、ベルト幅方向に隣接する分割ベルト間に介在されるスペーサーリングとを備え、前記スペーサーリングは、プーリ本体にベルト幅方向に移動自在に外嵌されたことを特徴とする歯付プーリ。
【請求項２】
前記スペーサーリングは、プーリ本体に対して回転方向に移動自在とされたことを特徴とする請求項１に記載の歯付プーリ。
【請求項３】
前記スペーサーリングは、その中央穴がプーリ歯の歯先円よりも大径の円穴とされたことを特徴とする請求項２に記載の歯付プーリ。
【請求項４】
前記スペーサーリングは、その中央穴の周縁にプーリ歯に嵌合する歯形が形成されたことを特徴とする請求項１に記載の歯付プーリ。
【発明の詳細な説明】
【技術分野】
【０００１】
本発明は、ベルト幅方向に複数の分割された歯付ベルトを掛巻して使用する歯付プーリに関するものである。
【背景技術】
【０００２】
一般に、歯付プーリに歯付ベルトを掛巻してなるベルト駆動装置は、プーリ歯とベルト歯との噛合による騒音を発生しやすい。また、プーリアライメントがずれて一対のプーリ軸同士の平行が損なわれた場合には、ベルト幅が大きくなるほど、ベルト両縁におけるプーリ軸間距離の差が大きくなり、歯付ベルトの張力をベルト幅方向で不均一にしたり、噛み合い不良を生じさせたりしやすい。
【０００３】
このようなプーリ歯及びベルト歯の噛合による騒音やプーリアライメントのずれの影響を低減するため、歯付プーリに掛巻する歯付ベルトをベルト幅方向に複数の分割ベルトに分割することがある（例えば特許文献１）。
【０００４】
図３に特許文献１が開示するベルト駆動装置の斜視図を示す。このベルト駆動装置は、二つのフランジ付プーリ１０１ａ、１０１ｂをベルト幅方向に連結してなる歯付プーリ１０１に、ベルト幅方向に二本の分割ベルト１０２ａ、１０２ｂに分割した歯付ベルト１０２を掛巻して構成される。
【０００５】
フランジ付プーリ１０１ａ、１０１ｂは、そのプーリ歯１０３ａ、１０３ｂを互いにずらして連結され、それぞれに掛巻した分割ベルト１０２ａ、１０２ｂとの噛合による騒音を位相差によって低減するようになっている。
【０００６】
歯付プーリ１０１のベルト幅方向中央には、フランジ付プーリ１０１ａ、１０１ｂの内端側フランジからなるスペーサーリング１０４が設けられ、このスペーサーリング１０４が、分割ベルト１０２ａ、１０２ｂ間に隙間を空けて、分割ベルト１０２ａ、１０２ｂ同士の接触による騒音を防止するようになっている。
【特許文献１】特開２００２−５４７２０号公報（段落番号０００６、００２０、００２２、第４図）
【発明の開示】
【発明が解決しようとする課題】
【０００７】
ところが、特許文献１の歯付プーリは、そのスペーサーリングの厚さを溶接やねじ止めなどによってプーリ本体に固定するのに必要な厚さ、かつプーリ本体に固定した状態で歯付ベルトから受けるスラストに耐え得る厚さに設定する必要があり、スペーサーリングが厚くなる分、歯付プーリのベルト幅方向長さも長くなる。
【０００８】
また、プーリ本体へのスペーサーリングの固定に溶接やねじなどを用いるので、歯付プーリの加工費が高くなり、さらに、あらかじめプーリ本体に固定したスペーサーリングが歯付ベルトを組み付ける際の邪魔になりやすい。
【０００９】
本発明は、スペーサーリングを設けつつ歯付プーリのベルト幅方向長さを短く設定することができ、さらに、スペーサーリングを安価な加工費で設けると共に、歯付ベルトの組み付けを容易にすることができる歯付プーリの提供を目的とする。
【課題を解決するための手段】
【００１０】
上記目的を達成するために、本発明に係る歯付プーリは、ベルト幅方向に複数の分割された歯付ベルトを掛巻して使用するものであり、外周面にプーリ歯を形成したプーリ本体と、プーリ本体の外周側に配設すると共に、ベルト幅方向に隣接する分割ベルト間に介在させるスペーサーリングとを備え、そのスペーサーリングをプーリ本体にベルト幅方向に移動自在に外嵌したものである。
【００１１】
この構成によれば、スペーサーリングをプーリ本体に外嵌して装着するので、溶接やねじ止めするためのスペーサーリングの増厚を不要にすることができる。さらに、スペーサーリングをベルト幅方向に移動自在とすることにより、一方の分割ベルトから受けるスラストがそのまま他方の分割ベルトに伝わるので、スペーサーリング自体がスラストに耐える必要がない。これにより、スペーサーリングを薄くして、その分、歯付プーリのベルト方向長さを短く設定することができる。
【００１２】
また、スペーサーリングのプーリ本体への固定を省略する分、その装着を容易にすることができる。さらに、スペーサーリングの装着が容易であることにより、歯付ベルトを組み付ける際に歯付プーリにスペーサーリングを装着するようにして、歯付ベルトの組み付けを容易にすることができる。つまり、奥側の分割ベルトを組み付けた後にスペーサーリングを装着することにより、スペーサーリングが歯付ベルトの組み付け作業の邪魔にならずにすむ。
【００１３】
スペーサーリングをプーリ本体に対して回転方向に移動自在とすれば、分割ベルトが歯付きプーリに巻き付く際に、スペーサーリングを分割ベルトと共に回転させ、分割ベルトの側面の摩耗を抑えて摩耗粉の発生を低減することができる。
【００１４】
スペーサーリングを回転方向に移動自在にするには、例えば、歯付プーリの外周面に、歯溝深さと同程度の深さの溝を周方向に連続して形成し、この溝にスペーサーリングを配設する構成を例示できるが、スペーサーリングの中央穴をプーリ歯の歯先円よりも大径の円穴とすれば、プーリ本体及びスペーサーリングを極力簡単な形状にしてその形成を容易にすることができる。
【００１５】
スペーサーリングの中央穴の周縁にプーリ歯に嵌合する歯形を形成すれば、スペーサーリングをプーリ歯の歯底付近まで配設することができるので、分割ベルト間のより広い範囲に介在させて、分割ベルトとの接触圧を低減することができる。
【発明の効果】
【００１６】
以上のとおり、本発明によると、スペーサーリングをプーリ本体に移動自在に外嵌するので、スペーサーリングを薄く設定することができ、その分、歯付プーリのベルト幅方向長さを短く設定して省スペース化を図ることができる。また、スペーサーリングをプーリ本体に固定することなく外嵌するので、安価な加工費でスペーサーリングを配設することができ、さらに、歯付ベルトを組み付ける際にスペーサーリングを装着することにより、歯付ベルトの組み付けを容易にすることができる。
【発明を実施するための最良の形態】
【００１７】
以下、本発明に係る歯付プーリを実施するための最良の形態について、図面を用いて説明する。図１は本発明に係る歯付プーリを示す図であり、（ａ）の下半分は側面図、上半分はＡ−Ａ断面図で、（ｂ）の下半分は正面図、上半分はＢ−Ｂ断面図である。
【００１８】
この歯付プーリ１は、ベルト幅方向に二本の分割ベルト２ａ、２ｂに分割された歯付ベルト２を掛巻して使用するものあり、プーリ本体３と、プーリ本体３の外周側に配設されてベルト幅方向に隣接する分割ベルト２ａ、２ｂ間に介在するスペーサーリング４と、プーリ本体３の両端部に配設されて歯付ベルト２の外れを阻止するフランジ５とを備えている。
【００１９】
歯付ベルト２は、分割ベルト２ａ、２ｂをベルト幅方向に間隔を空けて併設してなり、各分割ベルト２ａ、２ｂの内周面に、ハス歯あるいは直歯からなるベルト歯６が形成されている。
【００２０】
プーリ本体３は、例えば鋼製やアルミニウム製の円柱状とされ、二本の分割ベルト２ａ、２ｂの総幅よりも幅広に設定されると共に、その外周面に、ハス歯あるいは直歯からなりベルト歯６に噛み合うプーリ歯７が形成されている。プーリ本体３の中央には軸穴８が形成され、この軸穴８にプーリ軸を貫通させるようになっている。
【００２１】
スペーサーリング４は、例えば鋼製や合成樹脂製のリング状とされ、その中央穴９をプーリ歯７の歯先円よりも例えば０．１ｍｍ〜０．２ｍｍ程度大径の円穴とされて、プーリ本体３に、ベルト幅方向及び回転方向に移動自在に外嵌されている。このスペーサーリング４は、中心軸方向の厚さを例えば３ｍｍ〜４ｍｍ程度に設定され、外径を例えばフランジ５と同程度の大きさに設定されている。なお、スペーサーリング４の厚さは、その素材や径に応じて適宜設定すればよく、スペーサーリング４の外径は、歯付プーリ１のピッチ円よりも大径であればよく、その大きさに制限はない。
【００２２】
フランジ５は、例えば鋼製や合成樹脂製のリング状とされ、プーリ本体３の端部の小径部１０に外嵌されて、カシメやねじ止めなどで固定されている。プーリ本体３の両端に配設されるフランジ５のうち、その少なくとも一方は、スペーサーリング４を装着した後に固定される。
【００２３】
上記構成によれば、プーリ本体３に配設したスペーサーリング４を分割ベルト２ａ、２ｂ間に介在させるので、分割ベルト２ａ、２ｂ同士の接触を阻止して、その接触による騒音を防止することができる。さらに、スペーサーリング４を回転方向に移動自在にしているので、歯付プーリ１に巻き付く分割ベルト２ａ、２ｂと共に回転して、ベルト側面の摩耗を抑えて摩耗粉の発生を低減することができる。
【００２４】
また、プーリ本体３にスペーサーリング４を外嵌して配設するので、スペーサーリング４をプーリ本体３に固定する作業を省略することができ、スペーサーリング４の装着を簡単にすることができる。さらに、溶接やねじ止めするための増厚が不要であり、スペーサーリング４を薄くする分、歯付プーリ１のベルト幅方向長さを短くすることができる。
【００２５】
スペーサーリング４は、あらかじめプーリ本体３に装着しておくこともできるが、フランジ５をプーリ本体３の端部の小径部１０にねじ止めする構成を採用することにより、歯付ベルト２を組み付ける際に、スペーサーリング４を装着するようにしてもよい。具体的には、まず、奥側のフランジ５を固定したプーリ本体３に奥側の分割ベルト２ａを組み付け、次いで、スペーサーリング４を装着して、手前側の分割ベルト２ｂを組み付けて手前側のフランジ５をねじ止めする。これにより、スペーサーリング４が歯付ベルト２の組み付けの邪魔にならずにすむ。
【００２６】
分割ベルト２ａ、２ｂにスラストが作用する場合、一方の分割ベルト２ａによってベルト幅方向に押されたスペーサーリング４は、そのまま他方の分割ベルト２ｂを押すと共に、その反作用により一方の分割ベルト２ａを押し返す。これにより、スペーサーリング４自体が分割ベルト２ａから受ける力に耐える必要はなく、その分、スペーサーリング４を薄くすることができる。なお、スペーサーリング４によって押された他方の分割ベルト２ｂは、フランジ５によってベルト幅方向の移動を規制される。
【００２７】
なお、本発明は、上記の実施の形態に限定されるものではなく、本発明の範囲内において、適宜変更を加えることができる。例えば、図２に示すように、円形の中央穴９を有するスペーサーリング４に代えて、中央穴１１の周縁にプーリ歯７に嵌合する歯形１２を形成したスペーサーリング１３を配設することもできる。これにより、分割ベルト２ａ、２ｂとの接触面積を大きくして接触圧を低減することができる。
【００２８】
歯付ベルト２は、二分割するだけでなく、三分割以上に分割して複数のスペーサーリング４、１３を各分割ベルト間に介在させてもよい。また、分割ベルト２ａ、２ｂとフランジ５との間に回転方向に摺動自在な摺動リングを装着して、分割ベルト２ａ、２ｂとフランジ５との摩擦による摩耗を防止するようにしてもよい。
【図面の簡単な説明】
【００２９】
【図１】本発明に係る歯付プーリを示す図であり、（ａ）の下半分は側面図、上半分はＡ−Ａ断面図で、（ｂ）の下半分は正面図、上半分はＢ−Ｂ断面図
【図２】別の形態の歯付プーリを示す図であり、（ａ）の下半分は側面図、上半分はＣ−Ｃ断面図で、（ｂ）の下半分は正面図、上半分はＤ−Ｄ断面図
【図３】従来のベルト駆動装置の斜視図
【符号の説明】
【００３０】
１          歯付プーリ
２          歯付ベルト
２ａ、２ｂ  分割ベルト
３          プーリ本体
４、１３    スペーサーリング
７          プーリ歯
９、１１    中央穴
１２        歯形
【図１】
2007127166.tif 000003
【図２】
2007127166.tif 000004
【図３】
2007127166.tif 000005